(57)【要約】  １回量の粉砕コーヒー粉末を堆積させるためのフィルタ（４）を有するフィルタホルダカップ（３）と、カップ（３）が分離可能に取り付けられる取り付け支持体（７）と、カップ（３）の開口部（５）の上方に位置合わせされた出口（１０）を有する粉砕コーヒーを分配するためのスライド（９）を備えるコーヒー豆用のグラインダ（８）と、カップ（３）に装着されたフィルタ（４）に存在する１回量の粉砕コーヒー粉末をプレスするためのプレスピストン（１５）と、スライド（９）の出口（１０）の上方の位置にプレスピストン（１５）を持ち上げるための持ち上げ機構と、を備える１回量の粉砕コーヒー粉末をプレスするための装置（２）。
2020528805.tif 000002
【特許請求の範囲】
【請求項１】
１回量の粉砕コーヒー粉末をプレスするための装置（２）であって、１回量の粉砕コーヒー粉末を投入及び収集するためのフィルタ（４）を有するフィルタホルダカップ（３）と、前記カップ（３）が分離可能に取り付けられる取り付け支持体（７）と、前記カップ（３）の前記フィルタ（４）の上方に位置合わせされた出口（１０）を有する粉砕コーヒーを分配するためのスライド（９）を備えるコーヒー豆用のグラインダ（８）と、を備える、装置（２）において、前記カップ（３）内に存在する前記１回量の粉砕コーヒー粉末のプレスピストン（１５）と、前記スライド（９）の前記出口（１０）の上方の位置に前記プレスピストン（１５）を持ち上げるための持ち上げ機構と、を備えることを特徴とする、装置（２）。
【請求項２】
前記持ち上げ機構は、前記ピストン（１５）が前記カップ（３）内にあるプレス位置と、前記スライド（９）の前記出口（１０）の上方の前記位置との間で、前記ピストン（１５）を可逆的に作動させることを特徴とする、請求項１に記載の装置（２）。
【請求項３】
前記装置（２）は、前記ピストン（１５）の垂直方向の並進運動のためのガイド（１６）を備えることを特徴とする、請求項１〜２のいずれか一項に記載の装置（２）。
【請求項４】
前記ピストン（１５）は、前記ピストン（１５）の上方に延在する垂直ステム（１８）によって強固に支持されることを特徴とする、請求項３に記載の装置（２）。
【請求項５】
前記装置（２）は、プレス力調整手段を備えることを特徴とする、請求項１〜４のいずれか一項に記載の装置（２）。
【請求項６】
前記ピストン（１５）及び前記フィルタ（４）は、円形の共役の形状を示すことを特徴とする、請求項１〜５のいずれか一項に記載の装置（２）。
【請求項７】
前記持ち上げ機構は、回転する制御要素（１９）と、前記制御要素（１９）の回転を前記ピストン（１５）の垂直方向の並進運動に変換する伝動装置と、を備えることを特徴とする、請求項１〜６のいずれか一項に記載の装置（２）。
【請求項８】
前記伝動装置は、歯車装置を含むことを特徴とする、請求項７に記載の装置（２）。
【請求項９】
前記歯車装置は、前記ステム（１８）に固く連結された垂直ラック（２０）と、前記制御要素（１９）に接続された水平機械軸（２２）によって支持されるはめ歯歯車（２１）のアーチと、を備えることを特徴とする、請求項８に記載の装置（２）。
【請求項１０】
前記調整手段は、前記プレス機構の２つの要素を相互に接続する弾性クラッチを備えることを特徴とする、請求項１〜９のいずれか一項に記載の装置（２）。
【請求項１１】
前記弾性クラッチは、前記制御要素（１９）を前記伝動装置に接続することを特徴とする、請求項１０に記載の装置（２）。
【請求項１２】
前記弾性クラッチは、トーションばね（２３）を含むことを特徴とする、請求項１１に記載の装置（２）。
【請求項１３】
前記弾性クラッチは、前記制御要素を前記はめ歯歯車（２１）の前記アーチに接続することを特徴とする、請求項１０〜１２のいずれか一項に記載の装置（２）。
【請求項１４】
前記制御要素は、手動レバー（１９）又はノブであることを特徴とする、請求項７〜１３のいずれか一項に記載の装置（２）。
【請求項１５】
前記クラッチの現在の配位を特定するプレス力のインジケータ（２９）が設けられることを特徴とする、請求項１０〜１４のいずれか一項に記載の装置（２）。
【請求項１６】
前記１回量の粉砕コーヒー粉末の選択は、前記プレス力の選択に依存しないことを特徴とする、請求項１〜１５のいずれか一項に記載の装置（２）。
【請求項１７】
請求項１〜１６のいずれか一項に記載の装置（２）を有するコーヒーマシン（１）。
【請求項１８】
前記コーヒーマシン（１）は、構造的に独立した複数のモジュールから成るモジュール構造を有し、前記独立した複数のモジュールのうちの１つは、前記装置（２）によって形成されていることを特徴とする、請求項１７に記載のコーヒーマシン（１）。
【発明の詳細な説明】
【発明の詳細な説明】
【０００１】
本発明は、抽出の準備が整った、１回量の粉砕コーヒー粉末をプレスするための装置に関する。
【０００２】
圧力抽出前に正確な１回量の粉砕コーヒーを適切にプレスすることは、所望の感覚刺激性の特性を有するエスプレッソコーヒーを得るために必須である。
【０００３】
このために、手動のコーヒータンパを含む、又はプレス工程自体の間ではなく先験的に、調整可能な固定の設定でプレス力を較正することもできる、多かれ少なかれ自動化されたシステムを含む様々な解決策が市場で入手可能である。
【０００４】
これらのシステムは、プレスプロセスが、フィルタホルダカップを粉砕コーヒー収集領域からプレス領域に移動させることを必要とするので、フィルタホルダカップからコーヒー粉末が散乱するという問題を解決しないことが多い。
【０００５】
縦方向の軸線を有する電動のオーガに関する米国特許第２０１６／０１２８５０７号も公知であり、オーガは、粉砕コーヒー粉末をプレスする。オーガは、フィルタホルダカップ内にコーヒー粉末を送出するために、シュートの出口開口部の下に位置合わせされたタンピングヘッドを有する。グラインダの作動と同時に行われるオーガの作動は、マイクロスイッチによって決定され、マイクロスイッチは、フィルタホルダカップが支持体と結合されたことによって切り替えを行い、コーヒー粉末の圧縮を保証するために、粉砕の停止後も一定時間にわたり動作を継続する。より正確には、前記支持体によって提供される雌型のバヨネット機構のガイドがフィルタホルダカップの外爪によって係合されると、オーガは作動される。この解決手段では、粉砕コーヒーの一部がオーガのねじ山間の隙間に蓄積し、フィルタホルダカップが取り出された際に隙間から出て、したがって領域内に散乱することが起こり得る、又は粉砕コーヒーの一部がオーガのねじ山間の隙間に堆積し、後続の抽出サイクルでのみ使用されるが、しかしながらこれは、大分後に行われる場合もあり、したがって粉砕コーヒーの特性の劣化を引き起こし得る。
【０００６】
したがって、本発明の技術的課題は、従来技術の上述した技術的欠点を取り除くことを可能にする、抽出の準備が整った、１回量の粉砕コーヒー粉末をプレスするための装置を実現することである。
【０００７】
この技術的なタスクの範囲内で、本発明の１つの目的は、フィルタホルダカップ内に存在する粉砕コーヒーをプレスするプロセスを簡素化して加速させるように適合された上述のタイプの装置を実現することである。
【０００８】
本発明の別の目的は、マシン内の支持部に係合させて、マシン内に存在するグラインダの分配スライドから粉砕コーヒーを受け取る位置に関して、フィルタホルダカップを移動させる必要なく、粉砕コーヒーを圧縮するように適合された上述のタイプの装置を実現することである。
【０００９】
本発明の別の目的は、フィルタホルダカップの外への粉砕コーヒー粉末の散乱を低減又は排除するように適合された上述のタイプの装置を実現することである。
【００１０】
本発明の別の目的は、コーヒー粉末を通る抽出液の優先的な経路の形成を防止するように、粉砕コーヒーの均一なプレスを実行するように適合された上述のタイプの装置を実現することである。
【００１１】
本発明の別の目的は、プレスプロセスを実行する前にシステムを事前設定する必要なく、所望のタイプの飲料に合わせてプレスプロセスを調整できるように、プレスプロセスを調整するように適合された上述のタイプの装置を実現することである。
【００１２】
本発明の別の目的は、コーヒーのアロマが変化しないようにコーヒーが擦り合わされる／加熱されることなくプレスを実行するように適合された上述のタイプの装置を実現することである。
【００１３】
本発明の別の目的は、粉砕コーヒーの量を変化させないプレスを実行するように適合された上述のタイプの装置を実現することである。
【００１４】
本発明の別の目的は、コーヒーマシンに組み込まれる上述のタイプの装置を実現することである。
【００１５】
本発明による、上記において提示した、また下記において提示する技術的なタスク及び他の目的は、１回量の粉砕コーヒー粉末を投入及び収集するためのフィルタを有するフィルタホルダカップと、前記カップが分離可能に取り付けられる取り付け支持体と、前記カップの前記フィルタの上方に位置合わせされた出口を有する粉砕コーヒーを分配するためのスライドを備えるコーヒー豆用のグラインダと、を備える、前記１回量の粉砕コーヒー粉末をプレスするための装置であって、この装置は、前記カップ内に存在する前記１回量の粉砕コーヒー粉末をプレスするためのプレスピストンと、前記スライドの前記出口の上方の位置に前記プレスピストンを持ち上げるための持ち上げ機構と、を備えることを特徴とする、前記１回量の粉砕コーヒー粉末をプレスするための装置を実現することによって達成される。
【００１６】
有利には、前記持ち上げ機構は、前記ピストンが前記フィルタホルダカップ内にあるプレス位置と、前記スライドの前記出口の上方の前記位置との間で、前記ピストンを可逆的に作動させる。
【００１７】
有利には、前記ピストンの垂直方向の並進運動のためにガイドが設けられる。
【００１８】
有利には、プレス力調整手段も設けられる。
【００１９】
有利には、前記持ち上げ手段はまた、回転する制御要素と、前記制御要素の回転を前記ピストンの垂直方向の並進運動に変換する伝動装置と、を備える。
【００２０】
有利には、前記調整手段は、前記プレス機構の２つの要素を接続する弾性クラッチも備える。
【００２１】
装置内の１回量の粉砕コーヒーの選択可能な量は、味を個人別にするように選択することができるプレス力に依存しない。
【００２２】
有利には、装置は独立したユニットであってよく、又はコーヒーマシンに組み込むことができる。
【００２３】
有利には、モジュール式コーヒーマシンは、構造的に独立した複数のモジュールから成り、それらの独立した複数のモジュールのうちの１つが前記装置によって形成されていることも考えられ得る。
【００２４】
本発明の他の特徴はまた、以下の本明細書の特許請求の範囲において定義される。
【００２５】
本発明の更なる特徴及び利点は、添付の図面に概略的かつ非限定的に図示されている、本発明による、１回量の粉砕コーヒー粉末をプレスするための装置の好適であるが網羅的ではない実施形態の説明からより明らかになるであろう。
【００２６】
〔図１〕動作位置にある手動制御要素が図示された、本発明の実施形態による装置が組み込まれたコーヒーマシンを示す。
【００２７】
〔図２〕動作位置にある手動制御要素が図示された、本発明の実施形態による装置が組み込まれたコーヒーマシンを示す。
【００２８】
〔図３〕動作位置にある手動制御要素が図示された、本発明の実施形態による装置が組み込まれたコーヒーマシンを示す。
【００２９】
〔図４〕ピストンがスライドの出口の上方まで上昇された装置を示す。
【００３０】
〔図５〕ピストンがカップ内に挿入された装置である。
【００３１】
〔図６〕手動制御要素の分解図である。
【００３２】
〔図７〕組み立てられた形態の手動制御要素を示す。
【００３３】
〔図８〕装置内に装着された手動制御要素の断面図である。
【００３４】
各図を参照すると、１回量の粉砕コーヒー粉末をプレスするための装置２が組み込まれたコーヒーマシン１が示されている。
【００３５】
コーヒーマシン１は、構造的に独立した複数のモジュールから成るモジュール構造のものであってよく、それらの独立した複数のモジュールのうちの１つは、装置２によって形成されている。
【００３６】
特に、コーヒーマシン１のフレームは、モジュール構造であってよく、そのうちの１つのモジュールは、装置２のフレームによって形成されている。
【００３７】
しかしながら、図示されたものとは異なり、装置２は、コーヒーマシン１から完全に分離された、構造的かつ機能的に独立したユニットであってもよいことに留意されたい。
【００３８】
装置２は、１回量の粉砕コーヒー粉末を投入するためのフィルタ４を有するフィルタホルダカップ３を備える。
【００３９】
カップ３が分離可能に取り付けられる取り付け支持体７が、装置２のフレーム６に装着されている。
【００４０】
コーヒー豆用のグラインダ８もフレーム６に装着されており、このグラインダ８は、カップ３内に装着されたフィルタ４の上方に位置合わせされた出口１０を有する、粉砕コーヒーを分配するためのスライド９を備える。
【００４１】
特に、カップ３は、支持体７に取り付けるためのバヨネット式アタッチメントシステムを有する。
【００４２】
バヨネット式アタッチメントシステムは、支持体７に含まれる特殊なガイド１２に固定することができるカップ３の外爪１１を備える。
【００４３】
最後に、カップ２は、抽出されたコーヒーを分配するための下部領域に外側グリップ１３及び注ぎ口１４を有する。
【００４４】
有利には、フレーム６は、グラインダ８のスライド９によってカップ３に分配された、１回量の粉砕コーヒー粉末をプレスするためのプレスピストン１５を支持する。
【００４５】
したがって、ピストン１５は、カップ３が支持体７に取り付けられると、１回量の粉砕コーヒー粉末をプレスするプロセスを実行することができる。
【００４６】
つまり、プレスプロセスを実行するために、１回量の粉砕コーヒー粉末が装填される位置から、カップ３を移動する必要はない。
【００４７】
有利には、フレーム６は、プレスピストン１５をスライド９の出口１０の上方の位置まで持ち上げるための持ち上げ機構を支持する。
【００４８】
実際には、持ち上げ機構は、ピストン１５がカップ３内にあるプレス位置と、スライド９の出口１０の上方の位置との間で、ピストン１５を可逆的に作動させる。
【００４９】
フレーム６は、ピストン１５の垂直方向の並進運動のための特殊なガイド１６を備える。
【００５０】
ピストン１５は、カップ３のフィルタ４に関して共役の円形形状を有するので、プレス位置において、ピストン１５がカップ３のフィルタ４に進入する。
【００５１】
コーヒー粉末の分散及びライン１６の清掃は、ピストン１５の外周に沿って装着されたスクレーパシール１７によって保証される。
【００５２】
ここではピストン１５に共役の形状である並進運動ガイド１６は、縦方向の軸線を有する円筒状の管から成るものであり、カップ３の上方に同軸で位置合わせされる。
【００５３】
最後に、ピストン１５は、ピストン１５の上方において垂直方向に延在するステム１８によって強固に支持される。
【００５４】
持ち上げ手段は、回転する制御要素と、制御要素の回転をピストン１５の垂直方向の並進運動に変換する伝動装置と、を備える。
【００５５】
制御要素は、具体的には手動レバー１９又はノブであるが、代替的な実施形態では、装置２の電気コントローラによって作動させることができる回転電気モータであってよい。
【００５６】
ピストン１５によって及ぼされるプレス力を調整する手段も装置２内に存在する。
【００５７】
調整手段は、持ち上げ機構の２つの要素を接続する弾性クラッチを備えることもできる。
【００５８】
特に、弾性クラッチは、制御要素を伝動装置に接続する。
【００５９】
弾性クラッチは、トーションばね２３を含む。
【００６０】
この特定の場合における伝動装置は、垂直ラック２０と、水平機械軸２２によって回転するように支持されたはめ歯歯車２１のアーチと、から成る歯車装置を備える。
【００６１】
ラック２０は、ステム１８に固く連結され、それに対し、軸２２は、制御レバー１９に接続される。
【００６２】
更に詳細には、制御レバー１９は、軸受２５が締結される中空本体２４（前記軸受２５は水平方向の軸線を有する）を有し、軸２２を締結するための座部２７を軸線方向において有する同軸の軸受スリーブ２６と回転可能に連結される。
【００６３】
螺旋状の形態であるトーションばね２３は、軸受２５と軸受スリーブ２６との間において水平方向の軸線を有するように挿入され、軸受２６に締結された一端２３ａと、軸受スリーブ２５に締結された一端２３ｂと、を有する。
【００６４】
軸受スリーブ２６は、フレームの外壁の厚みを貫通する水平孔２８を通るように配置される。
【００６５】
したがって、軸受スリーブ２６は、軸２２が接続されるフレームの内側に配置される１つの部分と、軸受２５及び制御レバー１９が接続されるフレームの外側に配置される１つの部分と、を有する。
【００６６】
最後に、装置２は、クラッチの現在の配位を特定するプレス力のインジケータを備える。
【００６７】
この特定の場合では、インジケータは、軸受スリーブ２６に固く連結され、中空本体２４の外側に突出するポインタ２９と、レバー１９の中空本体２４の外側に設けられた目盛り３０と、から成る。
【００６８】
装置２は、その動作を調整する電子コントローラを有する。
【００６９】
装置２は、一連の、スライド１１の出口１０の上方にピストン１５を持ち上げる第１のステップと、カップ３内に１回量のコーヒー粉末を装填する第２のステップと、ピストン１５を降下させてプレスを行う第３のステップと、を含む作業サイクルを実行する。
【００７０】
作業サイクルの第１のステップでは、ユーザが、制御レバー１９を、図４及び図５に図示したはめ歯歯車２１のアーチの時計回りの回転をもたらす方向に回転させる。ラック２０との噛合の結果、はめ歯歯車２１のアーチの回転は、ステム１８を、またそれと共にピストン１５を垂直方向の並進運動で上方に引き上げる。このステップは、有利には、プレスプロセスの終了時に、システム自体が高粉砕位置に復帰することを保証するように、例えば戻しばねを用いた自動復帰によって自動化することもできる。
【００７１】
マイクロスイッチ（図示せず）は、ピストン１５が上方行程端部に到達した際に可動部のうちの１つによって作動され、その結果、電子コントローラにこのイベントに関する信号が送信され、電子コントローラは、信号の取得の結果として、グラインダ８の起こり得る作動を可能にする。
【００７２】
１回量の粉砕コーヒーが支持体７に取り付けられたカップ３に分配されると、ユーザは、制御レバー１９を、今回は図４及び図５に図示したはめ歯歯車２１のアーチの反時計回りの回転をもたらす方向に回転させることができる。ラック２０との噛合の結果、はめ歯歯車２１のアーチの回転は、ステム１８を、またそれと共にピストン１５を垂直方向の並進運動で下方に引き下げる。
【００７３】
制御レバー１９が回転している間、またピストン１５がカップ３内に存在する１回量の粉砕コーヒーの上面に載置されるまで、制御レバー１９及びはめ歯歯車２１のアーチは、実質的に一緒に回転する。
【００７４】
しかしながら、ピストン１５が降下されるにつれてカップ３内に存在する１回量の粉砕コーヒーを圧縮し始める瞬間から、制御レバー１９が更に回転しても、圧縮された１回量の粉砕コーヒーによって提供される抵抗により、ピストン１５はもはや更に降下することはできない。この状況において、制御レバー１９を更に回転させると、トーションばね２３が変形し、これによってプレス力がピストン１５に伝達され、前記プレス力は、その変形に比例して漸次的に増大する。
【００７５】
ユーザは、インジケータがプレス力の所望の程度を特定する位置において、制御レバー１９を停止する。
【００７６】
この時点で、１回量のプレスされた粉砕コーヒー粉末を収容するカップ３が、支持体７から分離されて、コーヒーマシン１の領域に運ばれ、飲料の調製のためにコーヒーマシン１の抽出ユニットの末端に取り付けられる。
【００７７】
好ましくは、しかしながら必ずしもそうではないが、抽出プロセスが可能になる前に、装置２の電子コントローラが組み込まれたコーヒーマシン１のコントローラは、ユーザが、１回量の粉砕コーヒーを圧縮するために圧縮操作を完了したかどうかを検査する。
【００７８】
したがって、提案される技術的解決手段を用いると、粉砕コーヒーの量は、有利なことに、カップへの粉砕コーヒーの落下に干渉しないようにするために粉砕プロセス中は持ち上げられているピストンの垂直方向の移動によって後に行われるプレスプロセスには依存しない。
【００７９】
弾性クラッチ及びインジケータによって、ユーザは、所望に応じてコーヒーの圧縮の程度を特定の限界内で制御し、それによって粉砕コーヒーの１回量及び粒径が等しいままで、より強い又はより弱いアロマを得ることが可能になる。
【００８０】
そのように考案された装置は、すべてが本発明の概念の範囲に当てはまる多くの修正及び変更を受けやすい。更に、すべての細部は、他の技術的に均等な要素と置換され得る。
【００８１】
使用される材料、並びに寸法は、実際には、必要性及び最新の技術に従って、任意の種類とすることができる。
【図面の簡単な説明】
【００８２】
【図１】動作位置にある手動制御要素が図示された、本発明の実施形態による装置が組み込まれたコーヒーマシンを示す。
【図２】動作位置にある手動制御要素が図示された、本発明の実施形態による装置が組み込まれたコーヒーマシンを示す。
【図３】動作位置にある手動制御要素が図示された、本発明の実施形態による装置が組み込まれたコーヒーマシンを示す。
【図４】ピストンがスライドの出口の上方まで上昇された装置を示す。
【図５】ピストンがカップ内に挿入された装置である。
【図６】手動制御要素の分解図である。
【図７】組み立てられた形態の手動制御要素を示す。
【図８】装置内に装着された手動制御要素の断面図である。
【図１】
2020528805.tif 000003
【図２】
2020528805.tif 000004
【図３】
2020528805.tif 000005
【図４】
2020528805.tif 000006
【図５】
2020528805.tif 000007
【図６】
2020528805.tif 000008
【図７】
2020528805.tif 000009
【図８】
2020528805.tif 000010
【国際調査報告】
2020528805.tif 000011
2020528805.tif 000012
2020528805.tif 000013
2020528805.tif 000014